(57)【特許請求の範囲】
【請求項１】
可撓性の裏面材によって複数の長尺状木質片を巻回可能に連結するとともに、前記裏面材が接着される各長尺状木質片の裏面側に、その裏面側を開放したパイプ埋設用の凹溝を形成し、この凹溝内に温水パイプが埋設されると共に、温水パイプが埋設された凹溝を前記可撓性の裏面材で覆う連結床材を備え、この連結床材は、前記裏面材を下にして家屋のフローリングを含む床上に敷設して床暖房を行う構成とし、前記連結床材の長尺状木質片は、板目方向に製材した複数の無垢の縦長平板状木板をそれの長手方向に接続して一体化させてなることを特徴とする床暖房装置の上敷式木質床暖房パネル。
【請求項２】
前記無垢の縦長平板状木板は、個別の長手方向の寸法が８００ｍｍ以下に設定されていることを特徴とする請求項１に記載の床暖房装置の上敷式木質床暖房パネル。
【発明の詳細な説明】
【０００１】
【発明の属する技術分野】
本発明は、温水が温水パイプに供給されて床暖房を行う床暖房装置に関し、詳しくは、床暖房装置に使用される上敷式木質床暖房パネルに関する。
【０００２】
【従来の技術】
従来、室内を床面から暖房する暖房装置として、一戸建て住宅にあっては、大引とフローリング等の床板との間に、或るいは、大引の上に敷いた下地合板の上などに床暖房放熱器としての床暖房パネルを組み込み、一方、マンション等の集合住宅にあっては、コンクリートスラブ床面の上に直接、或るいは、コンクリートスラブ床面の上に敷いた下地合板の上などに床暖房放熱器としての床暖房パネルを組み込み、この床暖房パネルに熱源機より暖房用温水を循環供給して床面を暖め、室内を暖房する床暖房装置が知られている。
【０００３】
また、上記した床暖房装置の放熱器としては、基体となる木質板状体の上表面に溝を設け、この溝を含む木質板状体の表面側をアルミ箔等の均熱シートで覆うとともに、溝内に温水パイプを収容してそれらの表面をフローリング等の表面材で覆う構造のものが知られている（例えば、特許文献１参照。）。
【０００４】
【発明が解決しようとする課題】
ところで、上記した構造の床暖房装置は、施工のための床工事が大がかりとなるため、一般的に一戸建て住宅や集合住宅の新築工事の際に施工されるものであり、既築住宅の床に新たに設置するには大改造になって費用も高額となった。
【０００５】
本発明は上述の実情に鑑みてなされたものであり、室床の基調を損なうことなく、既築住宅のフローリングを含む床上に敷設してそのまま使用でき、施工性に優れ、しかも、反りの発生を抑制できる床暖房装置の上敷式木質床暖房パネルを提供することを目的としている。
【０００６】
【特許文献１】
特開平７−１５８８７１号公報
【０００７】
【課題を解決するための手段】
請求項１に記載の本発明では、
可撓性の裏面材によって複数の長尺状木質片を巻回可能に連結するとともに、前記裏面材が接着される各長尺状木質片の裏面側に、その裏面側を開放したパイプ埋設用の凹溝を形成し、この凹溝内に温水パイプが埋設されると共に、温水パイプが埋設された凹溝を前記可撓性の裏面材で覆う連結床材を備え、この連結床材は、前記裏面材を下にして家屋のフローリングを含む床上に敷設して床暖房を行う構成とし、前記連結床材の長尺状木質片は、板目方向に製材した複数の無垢の縦長平板状木板をそれの長手方向に接続して一体化させてなることを特徴とする。
【０００８】
請求項２に記載の本発明では、請求項１に記載の床暖房装置の上敷式木質床暖房パネルにおいて、前記無垢の縦長平板状木板は、個別の長手方向の寸法が８００ｍｍ以下に設定されていることを特徴とする。
【０００９】
【発明の実施の形態】
以下、本発明の上敷式木質床暖房パネルの一実施形態例について、図１ないし図５に基づいて説明する。上敷式木質床暖房パネル（以下、木質床暖房パネルという）Ａは、例えば、厚さ１２ｍｍ、幅７５ｍｍ、長さ２４００ｍｍの長尺状木質片２、２・・・を、可撓性の裏面材３によって横方向に複数枚（実施形態例では２４枚）連結して巻回可能（図５参照）に構成した連結床材１を備え、前記長尺状木質片２と同方向の連結床材１の左右両端部には、外側に向けてテーパ加工した縦縁材４、４が取り付けられている。
【００１０】
前記長尺状木質片２は、例えば、図１及び図２に示すように、３〜５枚の無垢の木板イ、ロ、ハ、ニを長手方向に接合一体化して構成しており、この長尺状木質片２のそれぞれには、裏面側が開放されたパイプ埋設用の凹溝５、５が形成され、これら各凹溝５には架橋ポリエチレン製の温水パイプ６が埋設されると共に、この温水パイプ６が埋設された凹溝５，５を前記可撓性の裏面材３で覆う構成としている。この温水パイプ６には、図示しない熱源機からの温水が供給されて木質床暖房パネルＡの略全体に循環される。
【００１１】
前記木板イ、ロ、ハ、ニは、広葉樹のアルダーや針葉樹の杉等を板目方向にそって縦長平板状に製材して、約１００〜８００ｍｍの長さにしたものであり、図３に示すように、長手方向の両端に形成した凹部７と凸部８とを互いに嵌合して適宜な接着剤にて接着固定し、前記した長尺状木質片２を構成している。
【００１２】
図４は、図１に示す前記木質床暖房パネルＡのＢ−Ｂ断面図であり、この図４に示すように、前記長尺状木質片２及び縦縁材４の長手方向側面は、それぞれ凹凸加工されており、これら長尺状木質片２同士及び長尺状木質片２と縦縁材４が互いに凹凸嵌合（さね継ぎ）されているとともに、この連結床板１の裏面側には均熱用のアルミシート９と不織布１０を接着して構成した前記裏面材３が接着され、この裏面材３によって各長尺状木質片２及び各縦縁材４が連結させられている。
【００１３】
また、前記長尺状木質片２と直交方向の連結床材１の上下両端部には、やはり外側に向けてテーパ加工した横縁材１１、１１が取り付けられている。これら横縁材１１は前記連結床材１を平板状に広げた状態で取り付けられるものであり、前記縦縁材４と同様に長尺状木質片２との凹凸嵌合によってさね継ぎされる構造であって、四隅に配置されるテーパ付きコーナ材１２、１２とともに、木質床暖房パネルＡの施工時に、図５に示す固定金具１３、１３を用いて縦縁材４にネジ止めされる。
【００１４】
１４は前記横縁材１１の一方に設けられた温水接続口部であり、この温水接続口部１４には往き・戻り温水配管１５、１５が接続され、この温水配管１５の他端が室内の壁等に付設された温水コンセント（図示せず）を介して屋外の熱源機に配管接続される。
【００１５】
図５は、木質床暖房パネルＡの梱包時或るいは収容時における連結床材１の巻回状態を説明する説明図であり、前記縦縁材４を含む連結床材１は、図５に示すように、巻き畳まれて、前記横縁材１１、コーナ材１２及び固定金具１３は、連結床材１から分離されて、梱包箱内に収められる。
【００１６】
次に、木質床暖房パネルＡの設置の仕方について説明する。まず、図５に示すような巻回状態の連結床材１を、裏面材３を下にしてフローリング等の床上に広げた後、連結床材１に横縁材１１、１１を取り付ける。しかる後、横縁材１１と縦縁材４との間の四隅にコーナ材１２、１２を配置し、横縁材１１とコーナ材１２を固定金具１３、１３を用いて縦縁材４にネジ止め固定する。そして、温水接続口部１４に接続された温水配管１５先端のプラグ（図示せず）を温水コンセントに接続すれば良い。
【００１７】
本実施形態例によれば、木質床暖房パネルＡは、アルミシート９と不織布１０を接着して構成した裏面材３によって複数の長尺状木質片２、２を巻回可能に連結するとともに、前記裏面材３が接着される各長尺状木質片２の裏面側に、その裏面側を開放したパイプ埋設用の凹溝５を形成し、この凹溝５内に温水パイプ６が埋設されると共に、この温水パイプ６が埋設された凹溝５，５を前記可撓性の裏面材３で覆う連結床材１を備え、この連結床材１は、前記裏面材３を下にして家屋のフローリングを含む床上に敷設して床暖房を行なう構成としているから、温水パイプ６を埋設した長尺状木質片２自体が表面材となり、室床の基調を損なわずに、既築住宅のフローリングを含む床上に敷設するのみでそのまま使用でき、施工性に大変優れている。
【００１８】
また、前記連結床材１の長尺状木質片２は、板目方向に製材した複数の無垢の縦長平板状木板イ、ロ、ハ、ニをそれの長手方向に接続して一体化させてなる構成であるから、熱や湿気等の影響によって、例え、木板に反りが生じたとしても、その反りは各木板イ、ロ、ハ、ニに分散され、その結果、長尺状木質片２全体としての反りが生じ難い。
【００１９】
即ち、無垢の木板は長さが長い程、変形による両端の反りが大きくなるため、長さが約２４００ｍｍの長尺状木質片を一枚の無垢の木板にて製作した場合には、両端の反りは極めて大きくなり、許容限界をはるかに越えてしまうことが懸念されるが、本発明のように、長さが約１００〜８００ｍｍの木板イ、ロ、ハ、ニを３枚以上繋いで長尺状木質片２を構成した場合には、個々の木板イ、ロ、ハ、ニのそれぞれに反りを分散させることが可能となり、例え、個々の木板イ、ロ、ハ、ニに反りが発生しても、長尺状木質片２は全体として大きく反ることがないものである。
【００２０】
【発明の効果】
請求項１に記載の本発明によれば、可撓性の裏面材によって複数の長尺状木質片を巻回可能に連結するとともに、前記裏面材が接着される各長尺状木質片の裏面側に、その裏面側を開放したパイプ埋設用の凹溝を形成し、この凹溝内に温水パイプが埋設されると共に、温水パイプが埋設された凹溝を前記可撓性の裏面材で覆う連結床材を備え、この連結床材は、前記裏面材を下にして家屋のフローリングを含む床上に敷設して床暖房を行う構成とし、前記連結床材の長尺状木質片は、板目方向に製材した複数の無垢の縦長平板状木板をそれの長手方向に接続して一体化させてなる構成であるから、可撓性の裏面材が下になり、板目方向に製材した天然木による複数の無垢の縦長平板状木板が上表面になるため、室床の基調を損なわずに、既築住宅のフローリングを含む床上に敷設して使用でき、施工性に優れているばかりでなく、長尺状木質片は複数の木板に反りを分散させることが可能となるため、長尺状木質片全体での反りの発生が抑えられ、長期間にわたって良好な敷設状態を維持できる。
【図面の簡単な説明】
【図１】本発明の一実施形態例を示す上敷式木質床暖房パネルの平面図である。
【図２】一つの長尺状木質片の平面図である。
【図３】図２のＡ−Ａ断面の拡大断面図である。
【図４】図１のＢ−Ｂ断面の拡大断面図である。
【図５】巻回状態の上敷式木質床暖房パネルの外観図である。
【符号の説明】
Ａ            上敷式木質床暖房パネル
１      連結床板
２            長尺状木質片
３            裏面材
５            凹溝
６            温水パイプ
イ            木板
ロ            木板
ハ            木板
ニ            木板
【図１】
0003594588.tif 000002
【図２】
0003594588.tif 000003
【図３】
0003594588.tif 000004
【図４】
0003594588.tif 000005
【図５】
0003594588.tif 000006